(57)【要約】【課題】液晶表示装置のような表示体に対する照明むらの改善を図る。【解決手段】液晶表示装置２の背面側に位置する拡散部材１のうち、発光ダイオード５のような光源に対向する部位に凸部１０を設ける。該凸部１０は光源５側に突出する形態を有しており、その凸部１０に反射面を構成する複数の凹凸部１２を形成し、この凹凸部１２にて光源５からの光を反射させて該反射光を、拡散部材１のうち光源５から離れた部位Ｅに入射させるようにした。これにより、光源５から離れた部位Ｅにおいても光源５の光が届くことになり、全体として液晶表示装置２の照明むらを改善することができる。【選択図】図３
2007199521.tif 000002
【特許請求の範囲】
【請求項１】
表示体と、該表示体の背面に配置された光源と、該光源と前記表示体との間に配置されて前記光源からの光を前記表示体に対して拡散して入射する拡散部材と、を備えた表示装置であり、前記拡散部材のうち前記光源に対向する部位に反射面を備え、該反射面にて前記光源からの光を反射させて該反射光が前記拡散部材のうち該光源から離れた部位に入射するようにしたことを特徴とする表示装置。
【請求項２】
前記拡散部材のうち前記光源に対向する前記部位には該光源側に突出する凸部を備えており、前記反射面は該凸部の表面に備えられていることを特徴とする請求項１に記載の表示装置。
【請求項３】
前記反射面が凹凸部として形成されていることを特徴とする請求項１または２に記載の表示装置。
【請求項４】
前記反射面の光の反射角度は前記光源の指光角より大きいことを特徴とする請求項１〜３のいずれか１つの記載の表示装置。
【請求項５】
前記表示体は液晶装置であることを特徴とする請求項１〜４のいずれか１つに記載の表示装置。
【請求項６】
前記光源は発光ダイオードであることを特徴とする請求項１〜５のいずれか１つに記載の表示装置。
【発明の詳細な説明】
【技術分野】
【０００１】
本発明は車載計器に用いて好適な表示装置に関するものである。
【背景技術】
【０００２】
従来、この種の表示装置としては、例えば液晶表示装置、文字板などの表示体の背面に発光ダイオードなどの光源を配置し、該発光ダイオードと表示体との間に拡散部材を配置する構成するものがある。
【０００３】
この場合、拡散部材のうち光源に対向する部位には光源に突出する方向の凸部を形成して光源直上の明るさを低減し、表示体に対する照明むらを改善するようにしている。
【発明の開示】
【発明が解決しようとする課題】
【０００４】
しかしながら、上記従来例では、光源真上の明るさを低減する思想はあるものの、表示体のうち光源から離れた部位を明るくするという思想はないので、表示体に対する照明むらを改善するには至っていない。
【０００５】
そこで、本発明は、上記の点に鑑み、表示体のうち光源から離れた部位を明るくすることによって、表示体に対する照明むらを改善することを目的とするものである。
【０００６】
本発明はかかる目的を達成するため、以下の技術的手段を採用するものである。
【０００７】
即ち、請求項１記載の発明は、表示体と、該表示体の背面に配置された光源と、該光源と前記表示体との間に配置されて前記光源からの光を前記表示体に対して拡散して入射する拡散部材と、を備えた表示装置であり、前記拡散部材のうち前記光源に対向する部位に反射面を備え、該反射面にて前記光源からの光を反射させて該反射光が前記拡散部材のうち該光源から離れた部位に入射するようにしたことを特徴とするものである。
【０００８】
請求項１に記載の発明によれば、拡散部材のうち光源に対向する部位に備えた反射面によって光源からの光が反射し、反射光が前記拡散部材のうち該光源から離れた部位に入射するから、光源から離れた部位においても光源の光が届くことになり、全体として表示体の照明むらを改善することが可能となる。
【０００９】
この場合、請求項２記載の発明のように、拡散部材のうち光源に対向する部位に、該光源側に突出する凸部を備え、上記反射面を該凸部の表面に設ける構成が望ましい。
【００１０】
このような構成により、凸部によって光源真上の明るさを低減できるため、表示体の照明むらを一層、改善することが可能となる。
【００１１】
また、光源から離れた部位に光源の光を導くために、請求項３記載の発明のように、反射面を凹凸部として形成するようにしてもよい。この凹凸部を備えることによって、光源からより遠く離れた部位に光源の光を導くことが可能となる。
【００１２】
なお、光源の指光角よりも反射面の光の反射角度を大きくすることで上記請求項１記載の発明の効果を一層助長することが可能となる。
【００１３】
なお、表示体としては、請求項５記載の発明のように、液晶表示装置を適用してもよい。液晶表示装置は光源による照明むらが目視されやすいが、このような液晶表示装置に請求項１〜４記載の発明を適用することで液晶表示装置の照明むらを駆逐することができ、液晶表示装置の見栄えを向上することが可能となる。
【００１４】
また、光源は請求項６記載の発明のように、発光ダイオードを適用することができる。発光ダイオードは通常のランプ（白熱灯、冷陰極管、放電管）に比較して光の指光角が小さいため、拡散部材のうち該光源から離れた部位に光が届きにくいので、請求項１〜５記載の発明を発光ダイオード式の光源を用いた表示装置に適用することにより、このような発光ダイオード式の光源を用いた表示装置における照明むらを改善することが可能となる。
【発明を実施するための最良の形態】
【００１５】
（第１実施形態）
以下、本発明の表示装置を車両用メータ装置に適用した場合を例にして図面を用いて説明する。
【００１６】
図１はメータ装置の要部を正面から見た図、図２は図１の拡散部材の背面を斜めから見た図、図３は図１のＡ−Ａ断面図（ハッチングは省略）である。
【００１７】
図１〜図３において、１は拡散部材で透光性の樹脂材料により構成されている。２は表示体を構成する公知の液晶表示装置であり、該液晶表示装置２の背面に拡散部材１が配置されている。液晶表示装置２は公知の構成であって、詳細説明は省略するが、この液晶表示装置２にはそのガラス端部にて端子２ａを備え、端子２ａはリード線２ｂにて引出されている。
【００１８】
３は文字板であり、指針（図示しない）と目盛および数字（図示しない）とにより、車両の運転状態であるエンジン速度、回転数、燃料レベル、水温などの各物理量を表すようにされている。この文字板３には開口部３ａが形成されており、この開口部３ａの背面側に液晶表示装置２が配置されている。
【００１９】
４は回路基板であり、この回路基板４には上記指針を駆動するステッパモータ（図示しない）が固定されている。この回路基板４は文字板３の背面側に位置しており、この回路基板４には光源、即ち発光ダイオード５が接続されており、この発光ダイオード５にて拡散部材１を介して液晶表示装置２に文字板３の開口部３ａの開口の範囲で光が照射され、この結果、液晶表示装置２が表示される。なお、液晶表示装置２のリード線２ｂは基板４に接続されて映像回路（図示しない）に結線されている。
【００２０】
なお、６は仕切部材であり、拡散部材１、液晶表示装置２、文字板３、回路基板４はこの仕切部材６に保持される。
【００２１】
ところで、上記拡散部材１は図２および図３に示すように、発光ダイオード５に対向する部位には、横断面略三角形状の凸部１０が樹脂成形により一体形成されている。この凸部１０は拡散部材１の幅方向に沿って形成されており、一方（図３の上方向）の斜面１１には連続した鋸波状の複数の凹凸部１２がその斜面１１の傾斜角度に沿って形成されている。
【００２２】
拡散部材１の凹凸部１２は発光ダイオード５の光を反射するものであり、その複数の凹凸部１２の複数の凸部先端面を結ぶ仮想面は傾斜面とされており、その面と凸部１０の他方の傾斜面１３とのなす角度θ1は発光ダイオード５の指光角θ2よりも大きく設定されている。ここで、指光角の定義とは、光源真上からの輝度を１００％とし、真上から斜めに見た際、輝度が５０％になるまでの角度をいうものである。
【００２３】
なお、拡散部材１のうち液晶表示装置２に対向する面はシボ加工が施されていて拡散部材１に入射した発光ダイオード５の光が出射する際により拡散して液晶表示装置２に光が入射するようにされている。
【００２４】
上記構成において、次に作動を説明する。図３において、発光ダイオード５の光は拡散部材１のうち、その発光ダイオード５の直上に多く入射するが、光の一部は図中破線にて示すように拡散部材１の複数の凹凸部１２の先端面にて反射する。
【００２５】
そして、拡散部材１の複数の凹凸部１２の複数の凸部先端面を結ぶ仮想面と凸部１０の他方の傾斜面１３とのなす角度θ1は発光ダイオード５の指光角θ2よりも大きく設定されているため、拡散部材１の凹凸部１２の凸部頂点で反射した光は拡散部材１のうち発光ダイオード５から遠く離れた部位Ｅにも届くことになる。
【００２６】
従って、拡散部材１には発光ダイオード５の光はその直上のみならず、発光ダイオード５から遠く離れた部位Ｅにおいても入射することになる。加えて、拡散部材１のうち発光ダイオード５の直上の部位は凸部１０が対向しているため、この部位における液晶表示装置２の明るさを低減することができる。
【００２７】
この結果、液晶表示装置２に入射する光の量は液晶表示装置２の全体において均一となるので、液晶表示装置２に対する照明むらを改善することが可能となる。
【００２８】
そして、例えば図１のように液晶表示装置２は数字の「８」を表示することになる。
【００２９】
（第２実施形態）
図４および図５は本発明の第２実施形態を示すもので、拡散部材１の凸部１０の凹凸部１２の頂点を隣り合う間において互いにずらすとともに、凸部１０を拡散部材１の中央側に配置して凸部１０の先端面の対向する２つの傾斜面１１、１３の全体を反射面とした点が第１実施形態と異なるもので、他は第１実施形態と同じ構成を有している。
【００３０】
（第３実施形態）
図６は本発明の第３実施形態を示すもので、拡散部材１の凸部１０を拡散部材１の中央側に配置して凸部１０の対向する２つの傾斜面１１、１３の全体を反射面とし、この２つの反射面１１、１３には第２実施形態のように凹凸部を形成せずに平坦面とした点が第１実施形態と異なるもので、他は第１実施形態と同じ構成を有している。
【００３１】
（第４実施形態）
図７は図６の変形例であって、仕切部材６の形状を変更して変更板１の背面側までに仕切部材６の対向するように設定し、その対向面の内側を反射面６ａとした点が第１実施形態と異なるもので、他は第１実施形態と同じ構成を有している。この第４実施形態によれば、拡散部材１の背面にて反射した光を仕切部材６の反射面６ａにて再度、拡散部材１の方向に戻すことができるので、光の有効活用ができる。図７では斜面１１、１３の符号は省略してある。
【００３２】
なお、上記各実施形態においては表示体として液晶表示装置を採用したが、これに限らず、例えば文字板３に絵表示を行なう場合、その絵表示全体に光源の光を照射して絵表示の視認性を確保するものにも本発明を適用することが可能である。
【図面の簡単な説明】
【００３３】
【図１】図１は本発明の第１実施形態を示す正面図である。
【図２】図２は図１の拡散部材を示す斜視図である。
【図３】図３は図１のＡ−Ａ断面図である。
【図４】図４は本発明の第２実施形態を示す断面図である。
【図５】図５は図４の拡散部材を示す斜視図である。
【図６】図６は本発明の第３実施形態を示す断面図である。
【図７】図７は本発明の第４実施形態を示す断面図である。
【符号の説明】
【００３４】
１  拡散部材
２  液晶表示装置
５  発光ダイオード
１０  凸部
１１  斜面
１２  凹凸部
１３  傾斜面
【図１】
2007199521.tif 000003
【図２】
2007199521.tif 000004
【図３】
2007199521.tif 000005
【図４】
2007199521.tif 000006
【図５】
2007199521.tif 000007
【図６】
2007199521.tif 000008
【図７】
2007199521.tif 000009